(57)【要約】【課題】手動走査式の記録装置において、印字範囲・記録範囲を明確にし、記録材上の所望の位置に容易に印字をおこなうことを可能にするとともに、大きなスペースを取らずに装置を保管可能とする。【解決手段】ＨＭＰ１１（ハンディモバイル型のインクジェットプリンタ）は、記録部による記録領域を示すガイド部材１７（標示部材）を備えている。このガイド部材１７は、記録装置のハウジングに格納された格納位置から、矢印Ｒで示すように回動させ（開いて）、記録部による画像の記録領域を示す標示位置へと移動させることができる。これにより、印字範囲・記録範囲を明確にし、記録材上の所望の位置に容易に印字をおこなえるとともに、大きなスペースを取らずに装置を保管することができる。【選択図】図１０
2019001155.tif 000002
【特許請求の範囲】
【請求項１】
記録材上を手動走査することで画像を記録する記録装置において、
記録材に画像を記録する記録部と、
前記記録部を収容するハウジングと、
前記ハウジングに格納された格納位置と前記記録部による画像の記録領域を示す標示位置との間で移動可能な標示部材と、
を備えることを特徴とする記録装置。
【請求項２】
前記標示部材は、前記記録部よりも走査方向上流側または下流側に設けられていることを特徴とする、請求項１に記載の記録装置。
【請求項３】
走査方向と直交する方向における前記標示部材の大きさが、走査方向と直交する方向における前記記録部の大きさと略同一であることを特徴とする、請求項１又は２に記載の記録装置。
【請求項４】
前記標示部材の少なくとも一部の走査方向と直交する方向の大きさが、走査方向と直交する方向における前記記録部の大きさと略同一であることを特徴とする、請求項１又は２に記載の記録装置。
【請求項５】
前記標示部材の一部に、走査方向と直交する方向における前記記録部の両端部と同列に位置する目印形状が設けられていることを特徴とする、請求項１又は２に記載の記録装置。
【請求項６】
前記標示部材が透明部材で設けられていることを特徴とする請求項１〜５のいずれか１項に記載の記録装置。
【請求項７】
前記標示部材が、走査方向における前記ハウジングの両側に設けられていることを特徴とする請求項１〜６のいずれか１項に記載の記録装置。
【請求項８】
装置本体の走査方向への移動を補助する移動補助手段を備えることを特徴とする請求項１〜７のいずれか１項に記載の記録装置。
【請求項９】
前記標示部材は、走査方向と直交する方向における前記記録部の中心位置と対応する位置に、前記記録部の前記中心位置を示す中心位置標示部を有することを特徴とする請求項１〜８のいずれか１項に記載の記録装置。
【請求項１０】
前記標示部材が前記標示位置にあるときに前記標示部材と記録材との間に所定の隙間を有するように、前記標示部材の位置を規制する規制部を備えることを特徴とする請求項１〜９のいずれか１項に記載の記録装置。
【請求項１１】
前記ハウジングと前記格納位置にある前記標示部材との間に隙間を有することを特徴とする請求項１〜９のいずれか１項に記載の記録装置。
【請求項１２】
記録材に画像を記録する記録部と、
前記記録部を収容するハウジングと、
前記ハウジングの走査方向への移動をガイドするローラと、
前記ハウジングに格納された格納位置と前記記録部による画像の記録領域を示す標示位置との間で移動可能な標示部材と、
を備えることを特徴とする記録装置。
【請求項１３】
前記標示部材が前記標示位置にあるときに前記標示部材と記録材との間に所定の隙間を有するように、前記標示部材の位置を規制する規制部を備えることを特徴とする請求項１２に記載の記録装置。
【請求項１４】
記録材に画像を記録する記録部を装着可能な記録装置において、
前記記録部を収容可能なハウジングと、
前記ハウジングの走査方向への移動をガイドするローラと、
前記ハウジングに格納された格納位置と前記記録部による画像の記録領域を示す標示位置との間で移動可能な標示部材と、
を備えることを特徴とする記録装置。
【請求項１５】
前記標示部材が前記標示位置にあるときに前記標示部材と記録材との間に所定の隙間を有するように、前記標示部材の位置を規制する規制部を備えることを特徴とする請求項１４に記載の記録装置。
【発明の詳細な説明】
【技術分野】
【０００１】
本発明は記録装置、さらに詳しくは手動走査式の記録装置に関する。
【背景技術】
【０００２】
ノートパソコンやスマートフォン等の普及に伴い、携帯可能な記録装置が要望されている。
携帯型の記録装置として、人の手で紙面等の記録媒体上を走査しながら画像を記録する記録装置は周知である（例えば特許文献１）。このような、人の手で記録媒体上を走査しながら画像を記録する記録装置は、ハンドヘルド記録装置、ハンディプリンタ、ハンディモバイルプリンタなどと呼ばれている。以下、これらを総称してハンディモバイルプリンタと称する。
【０００３】
ハンディモバイルプリンタは、用紙上をフリーハンドで印刷・記録可能なことで、モバイルの利便性と用紙対応力を両立したものである。
【発明の概要】
【発明が解決しようとする課題】
【０００４】
従来のハンディモバイルプリンタは、用紙上をフリーハンドで走査可能なものであるが、それゆえに印字範囲・記録範囲が分からないという問題があった。
特許文献２には、装置本体を記録方向と直角な方向へ正確に移動させることが出来るようにしたハンディタイプの記録装置が開示されている。
【０００５】
しかし、特許文献２に記載の記録装置においても、印字範囲・記録範囲が分からないという問題は解消されていない。
本発明は、手動走査式の記録装置において、印字範囲・記録範囲を明確にし、記録材上の所望の位置に容易に印字をおこなうことを可能にするとともに、大きなスペースを取らずに装置を保管可能とすることを課題とする。
【課題を解決するための手段】
【０００６】
この課題を解決するため、本発明は、記録材上を手動走査することで画像を記録する記録装置において、記録材に画像を記録する記録部と、前記記録部を収容するハウジングと、前記ハウジングに格納された格納位置と前記記録部による画像の記録領域を示す標示位置との間で移動可能な標示部材と、を備えることを特徴とする。
【発明の効果】
【０００７】
本発明の記録装置によれば、印字範囲・記録範囲が明確になり、ユーザは記録材上の所望の位置に容易に印字をおこなえるとともに、大きなスペースを取らずに装置を保管できる。
【図面の簡単な説明】
【０００８】
【図１】本発明の実施形態にかかるハンディモバイル型インクジェットプリンタ（ＨＭＰ）の外観斜視図である。
【図２】図１の反対側から見たＨＭＰの外観斜視図である。
【図３】ガイド部材の構造を説明する図で、（ａ）はガイド部材を解放させた様子、（ｂ）はＨＭＰの下面を模式的に示す図である。
【図４】プリント時の改行操作について説明する模式図である。
【図５】ガイド部材の変形例を示す図である。
【図６】ガイド部材の別の変形例を示す図である。
【図７】ガイド部材をＨＭＰ本体の両側に設けた変形例を示す図である。
【図８】図７の構成例におけるプリント時の改行操作について説明する模式図である。
【図９】他の実施形態に係るＨＭＰを斜め上方から示す外観斜視図である。
【図１０】ガイド部材を開いた状態の同ＨＭＰを斜め上方から示す外観斜視図である。
【図１１】上部ユニットを下部ユニットに対して開いた状態の同ＨＭＰを示す斜視図である。
【図１２】同ＨＭＰを記録面側から示す底面図である。
【図１３】同ＨＭＰの電気回路の一部を示すブロック図である。
【図１４】同ＨＭＰのガイド部材の拡大斜視図である。
【図１５】同ＨＭＰのガイド部材付近の拡大断面図である。
【発明を実施するための形態】
【０００９】
以下、本発明の実施形態を図面に基づいて説明する。
図１は、本発明による記録装置の一実施形態であるハンディモバイル型のインクジェットプリンタ（以下、ＨＭＰと略記する）の外観斜視図である。なお、本実施形態の記録装置はインクジェットプリンタとして構成されたものであるが、本発明はインクジェット方式に限定されるものではなく、熱転写方式等適宜な方式の記録装置に適用可能なものである。
【００１０】
図１に示すＨＭＰ１は、上部ユニット２と下部ユニット３から構成されている。上部ユニット２には、制御ボードが搭載されており、インクの吐出タイミングなどを操作する操作部ボタン５やＵＳＢ接続口９がある。下部ユニット３には、インクジェットヘッド（吐出ヘッド）が搭載されている。また本体左右方向の操作の直進性のためのガイドコロ４（走査方向への移動を補助する移動補助手段）が設けられている。
【００１１】
なお、ヘッドからインク等の液体・液滴を吐出して記録を行う、いわゆるインクジェット機構は周知であり、ここでは説明を省略する。また、ＨＭＰ１に搭載可能であれば、適宜な構成のインクジェット機構を採用可能である。本実施形態のＨＭＰ１では、インクジェット機構が記録材に画像を記録する記録部に相当し、当該記録部は下部ユニット３のハウジング内に格納されている。
【００１２】
図２は、図１の反対側から見たＨＭＰ１の外観斜視図である。
この図に示すように、下部ユニット３の一方側の側面には、記録部による記録領域の幅を示す標示部材としてのガイド部材７が設けられている。ガイド部材７は、プリント時に改行動作を行う際に使用するガイド部材である。ガイド部材の構造については後述する。
【００１３】
なお、図１に示すようにＨＭＰ１の本体の左右方向（短手方向）をＸ方向とし、それに直交する本体長手方向をＹ方向とする。ＨＭＰ１を用いたプリント動作では、文字や絵柄等を直線的に印字する場合はＸ方向にＨＭＰ１を移動させる。そして、Ｙ方向にＨＭＰ１を移動させることで改行させる。
【００１４】
ただし、ＨＭＰ１を用いたプリント動作は上記に限定されるものではない。文字や絵柄等をデザイン的に配置する場合など、Ｘ方向以外の斜め方向や曲線的にＨＭＰ１を移動させてプリントを行うことも可能であるし、Ｙ方向以外の方向にＨＭＰ１を移動させて改行することも可能である。
【００１５】
ＨＭＰ１の下部ユニット３の下面には、図３に示すように、下方に開口されたインク吐出部６（画像記録部）が設けられている。図示していないインクジェットヘッドから吐出されたインクは、インク吐出部６の開口より用紙等の記録材上に至り、画像記録が行われる。
【００１６】
図３は、ガイド部材７の構造を説明する図で、（ａ）はガイド部材７を解放させた様子を示す斜視図、（ｂ）はＨＭＰ１の下面を模式的に示す図である。
ガイド部材７は、ＨＭＰ１の本体（下部ユニット３の側面）の下端部の近くにヒンジを介して装着され、ＨＭＰ１の本体（下部ユニット３の側面）に対して開閉可能に設けられている。ガイド部材７を使用するときは図３（ａ）のように開き、使用しないときはしまう（本体側面に格納する）ことができる構造になっている。
【００１７】
また、図３（ｂ）に示すように、ガイド部材７はインク吐出部６の延長線上に位置し、ガイド部材７の幅（Ｙ方向の大きさ）：Ｌは、インク吐出部６と同じ幅の（Ｙ方向の大きさが同じ）構成となっている。ガイド部材７の色は透明になっており、透けてガイド部材７の奥にあるものや、プリント時にガイド部材７の下にある用紙等の記録材を見ることができる構成になっている。
【００１８】
図４は、プリント時の改行操作について説明する模式図である。
ここでは、通常のプリンタ（携帯型ではない用紙搬送機構を備えたプリンタ）と同様な複数行の印字を行う場合の改行操作について説明する。
【００１９】
手順（１）は、印字領域の中央部を印字している様子を示している。ユーザは、手動にてＨＭＰ１を左から右方向（図１のＸ方向）に移動させてフリーハンド操作しながら印字している。
【００２０】
手順（２）は、印字領域の右端まで印字し終わった時の様子を示している。
手順（２）が終わると、ＨＭＰ１本体を一旦用紙（記録材）から浮かせて改行動作が必要になる。その際、次の印字範囲がガイド部材７により明確なので（次に印字される領域＝記録領域をガイド部材７が示しているので）、手順（３）に示すように、ガイド部材７の上辺を印字された最下部に合わせることで、改行前の印字部と重なったり、隙間が空いたり（隙間が必要以上に大きくなったり）、隙間が狭すぎたりすることなく、適切な改行動作を簡単に行うことができる。
【００２１】
図５は、ガイド部材の変形例を示す図である。
この図に示すガイド部材７Ｂは、基部の幅（Ｙ方向の大きさ）はインク吐出部６の幅よりも大きいが、先端部７Ｂａの幅（Ｙ方向の大きさ）：Ｌａは、インク吐出部６と同じ幅の（Ｙ方向の大きさが同じ）構成となっている。この変形例のように、ガイド部材は、少なくとも一部がインク吐出部６と同じ幅（走査方向と直交する方向における大きさが略同一）であれば、次の印字範囲を容易に把握することができる。
【００２２】
図６は、ガイド部材の別の変形例を示す図である。
この図に示すガイド部材７Ｃは、幅（Ｙ方向の大きさ）がインク吐出部６の幅よりも大きいが、ガイド部材７Ｃの上面に、インク吐出部６のＹ方向両端部と同列に位置する目印形状８が設けられている。なお、ガイド部材７Ｃが透明部材の場合には、目印形状８をガイド部材７Ｃの下面に設けることもできる。本例では２本の直線として設けられた目印形状８の幅（Ｙ方向の間隔）は、インク吐出部６と同じ幅になっている。このような目印形状８をガイド部材に設けることによって、ガイド部材の幅（Ｙ方向の大きさ）がインク吐出部６の幅よりも大きい場合でも、次の印字範囲を容易に把握することができる。
【００２３】
図７は、ガイド部材をＨＭＰ本体の両側に設けた変形例を示す図である。
図７の構成においては、ＨＭＰ１の本体の両側（Ｘ方向の両側）にガイド部材７，７をそれぞれ設けている。この構成の場合、ＨＭＰ１をＸ方向のどちらに移動させても印字が可能となる。その印字動作について図８を参照して説明する。図８では、説明の都合上、右側のガイド部材を７Ｒ、左側のガイド部材を７Ｌとして説明する。
【００２４】
図８において、手順（１）は、印字領域の中央部を印字している様子を示している。ユーザは、手動にてＨＭＰ１を左から右方向に移動させてフリーハンド操作しながら印字している。
手順（２）は、印字領域の右端まで印字し終わった時の様子を示している。
【００２５】
手順（２）が終了したとき、Ｘ方向（図８の左右方向）の位置はそのままで、ＨＭＰ１を図の下方に移動させて改行を行う。その際、手順（３）の図に示すように、左側のガイド部材７Ｌの上辺を印字された最下部に合わせることで、改行前の印字部と重なったり、隙間が空いたり（隙間が必要以上に大きくなったり）、隙間が狭すぎたりすることなく、適切な改行動作を簡単に行うことができる。
手順（４）では、手順（１）とは逆方向、すなわち右から左方向に移動させて印字を行う様子を示している。
【００２６】
本構成では、図４の場合のように、改行時にＨＭＰ１を印字領域の右端（Ｘ方向の一方側の端部）から左端（Ｘ方向の反対側の端部）まで移動させる必要が無く、ジグザグに移動させて印字を行うことができるので、移動の手間を省き、より簡単な操作で改行を伴うプリント動作を行うことができる。
【００２７】
なお、図７の構成では図３のガイド部材７をＨＭＰ本体の両側に設けた構成で説明したが、図５のガイド部材７ＢをＨＭＰ本体の両側に設けた構成、あるいは図６のガイド部材７ＣをＨＭＰ本体の両側に設けた構成でもよい。さらに、ガイド部材７，７Ｂ，７Ｃを組み合わせた構成でもよい。
【００２８】
次に、本発明を携帯型画像形成装置であるハンディモバイル型インクジェットプリンタ（以下、ＨＭＰという）に適用した他の実施形態について説明する。まず、他の実施形態に係るＨＭＰの基本的な構成について説明する。
【００２９】
図９は、他の実施形態に係るＨＭＰ１１を斜め上方から示す外観斜視図である。同図に示されるＨＭＰ１１は略直方体形状を有しており、その走査方向（＝印字方向：図中矢印Ｘ方向）の幅は、ユーザが掌で掴める程度である。
【００３０】
ＨＭＰ１１の下部ユニット１３のハウジング８０は、インクジェットヘッドの記録部を有する記録面３０（装置の下面）、これの反対面である上面３１、ＨＭＰ１の走査方向と直交する方向である走査直交方向（図中矢印Ｙ方向）に延在する左側面３２などを有している。また、走査直交方向（図中矢印Ｙ方向）に延在する右側面３３、走査方向（図中矢印Ｘ方向）に延在する背面３４、走査方向に延在する正面３５なども有している。
【００３１】
同図に示されるＨＭＰ１１は、記録面３０を鉛直方向下方に向けつつ、記録反対面である上面３１を鉛直方向上方に向ける姿勢になっている。上面３１の外縁内（枠内）には、プリントボタン１４と、電源ボタン１５とが設けられている。また、上部ユニット１２の左側面３２には、ＵＳＢ接続口１９が設けられている。
【００３２】
ＵＳＢ接続口１９はＵＳＢケーブルを接続するためのものである。ＨＭＰ１１の中に装着された充電式のバッテリー（図１３の５１）に対し、ＵＳＢ接続口１９に接続したＵＳＢケーブルを介して外部の電源から電力を供給することで、バッテリーを充電することができる。
【００３３】
下部ユニット１３の正面３５側の端部は、下部ユニット１３の前記端部以外の部分よりも幅の広い把持部３６になっている。ユーザは、画像形成のためにＨＭＰ１１を記録材の表面上で走査方向（図中矢印Ｘ方向）に移動させるときには、把持部３６を持ってＨＭＰ１１を移動操作する。走査直交方向において、把持部３６が他の部分に比べて幅広になっているのは、手で持ち易くするための他、把持部３６が後述するバッテリー収容部になっているからである。また、左側面３２にはくぼみ３９が形成されている。ユーザは指をくぼみ３９に置くことで、ＨＭＰ１１を安定して把持することができる。
【００３４】
ユーザは電源ボタン１５を長押しすることによってＨＭＰ１１の電源の入切（ＯＮ／ＯＦＦ）を切り替えることができる。電源を入れた状態では、スマートフォンなどとのＢｌｕｅｔｏｏｔｈ（登録商標）通信により、ＨＭＰ１１の上部ユニット１２内に設けられた制御基板に対して画像情報を取得させることができる。その後、記録面３０を記録材の表面に対面させる姿勢でＨＭＰ１１を記録材の表面上に置いた後、プリントボタン１４を一度押してから、ＨＭＰ１１を走査方向に沿って移動させることで、記録材の表面に画像を形成することができる。なお、このＨＭＰ１１は、ユーザの移動操作によって走査方向（図中矢印Ｘ方向）に沿って往移動せしめられるときと、復移動せしめられるときとのそれぞれで、記録材の表面に画像を形成することができる。インクジェットヘッド４０からのインクの吐出は、ユーザがプリントボタン１４を一度押して離した後に連続しておこなってもよいし、ユーザがプリントボタン１４を押している間だけおこなってもよい。
記録材は、用紙などの紙類に限定されるものではなく、ＯＨＰ、布、段ボール、包装容器、ガラス、基板などが含まれる。
【００３５】
ハウジング８０の左側面３２には記録部による記録領域の幅を示す標示部材としてのガイド部材１７が回動可能に取りつけられている。図９に示す状態ではガイド部材１７は閉じており、ハウジング８０の左側面３２に収容されている。
【００３６】
図１０は、ガイド部材１７を開いた状態のＨＭＰ１１を斜め上方から示す外観斜視図である。ユーザは、ハウジング８０に収容されたガイド部材１７の上部を持って矢印Ｒで示すように回動させることにより、ガイド部材１７を開くことができる。図９に示すように、ハウジング８０と格納されたガイド部材１７との間には隙間Ｓを有する。すなわち、ハウジング８０には、収容されたガイド部材１７の上縁部よりも上方の位置に切欠き８０ｃが形成されている。切欠き８０ｃの隙間Ｓは、ユーザが指を入れることのできる程度の長さを有する。これによりユーザはハウジング８０に収容されたガイド部材１７を容易に回動させることができる。ガイド部材１７は、第１実施形態のガイド部材７と同様に透明な樹脂により形成されている。ユーザは、ガイド部材１７と記録材の表面との位置を見比べながらＨＭＰ１１を操作することで、記録材表面の所望の位置に容易に印字をおこなうことができる。ガイド部材１７の走査直交方向（図中矢印Ｙ方向）における幅Ｌは、インクジェットヘッド４０の記録部の幅（記録領域の幅。後述する複数の吐出孔４１ａの幅である）と同一である。なお幅Ｌは、記録部の幅と異なっていてもよいが、インクジェットヘッド４０の記録部の幅以上であることが好ましい。ガイド部材１７の幅Ｌをインクジェットヘッド４０の記録部の幅以上とすることで、たとえばユーザが隣接して文字を２行分印字する際に、文字同士が重なることを回避できる。ガイド部材１７の幅Ｌは、印字位置を正確に把握するためには記録部の幅の＋１０％以内とすることが好ましく、＋５％以内とすることがより好ましい。
【００３７】
標示部材としてのガイド部材１７は、記録部よりも走査方向上流又は下流で記録材の表面に対向する対向位置（図１０）と、対向位置よりも退避した退避位置（図９）と、の間で移動可能である。また、ガイド部材１７は、ＨＭＰ１１のハウジング８０に格納される格納位置（図９）と、格納位置よりも走査方向上流又は下流へ向かってＨＭＰ１１のハウジング８０から突き出す突出位置（図１０）と、の間で移動可能である。また、ガイド部材１７は、ＨＭＰ１１のハウジング８０に格納された格納位置（図９）と、記録部の記録領域を示す標示位置（図１０）との間で移動可能である。これにより、印字範囲・記録範囲が明確になり、ユーザは記録部の記録領域の位置を容易に把握して記録材上の所望の位置に印字をおこなえる。かつ、ＨＭＰ１１を使用しない保管時などにガイド部材が邪魔にならず、大きなスペースを取らずに保管ができる。
【００３８】
ガイド部材１７をハウジング８０に対して回動可能に構成することにかえて、ガイド部材１７をハウジング８０から走査方向Ｘに進退可能に構成してもよい。また、ガイド部材１７をハウジング８０に対して走査直交方向Ｙと平行な回転軸を中心に回動可能に構成することにかえて、ガイド部材１７をＨＭＰの高さ方向（すなわち記録材の表面と垂直な方向）と平行な回転軸を中心に回動可能に構成してもよい。
【００３９】
図１１は、上部ユニット１２を下部ユニット１３に対して開いた状態のＨＭＰ１１を示す斜視図である。図示のように、上部ユニット１２は下部ユニット１３に対して開閉するように下部ユニット１３に保持されている。下部ユニット１３の把持部３６の内部空間には、ＨＭＰ１１の各機器に電源供給するためのバッテリー５１が装着されている。
【００４０】
下部ユニット１３のハウジング８０のうち、把持部３６とは異なる部分の中には、インクタンク一体型のインクジェットヘッド４０（インクカートリッジ）が着脱可能に収容される。図１１に示されるように、インクジェットヘッド４０すなわちインクカートリッジは、記録部とインクタンクとを一体で備えるとともに、ＨＭＰ１１の下部ユニット１３のハウジング８０に対して着脱可能である。このとき、インクの液滴を吐出する記録部が鉛直方向下方に向けられる。このインクジェットヘッド４０は、記録部からインクの液滴を吐出して記録材に画像を記録する。ハウジング８０は、インクジェットヘッド４０の記録部を着脱可能に収容する。
上部ユニット１２の内面には、下部ユニット１３内に装着されたインクジェットヘッド４０を押さえて係止するためのヘッド押さえ板バネ３７が固定されている。
【００４１】
このＨＭＰ１１では、下部ユニット１３内において、バッテリー５１をインクジェットヘッド４０の側方に位置させているため、上方に位置させる構成に比べてＨＭＰ１１の高さを低くしている。これにより、ＨＭＰ１１の重心位置を低くすることで、移動操作時におけるＨＭＰ１１の転倒を防止できる。
【００４２】
ＨＭＰ１１の走査方向の大きさ（装置幅）は、インクジェットヘッド４０よりも僅かに幅広になっている程度である。装置幅をできるだけ小さくすることで、記録材の表面上においてＨＭＰ１１を走査方向に移動操作できる範囲を広くし、記録材の表面上における記録可能範囲をできるだけ広くすることができる。
【００４３】
図１２は、ＨＭＰ１１を記録面側から示す底面図である。同図において、ＨＭＰ１１の記録面としての記録面３０には、下部ユニット１３（図１１）内に装着されたインクジェットヘッド４０の記録部４１を外部に露出させるための開口３０ａが設けられている。記録部４１は、複数の吐出孔４１ａを有しており、圧電素子の駆動によってそれぞれの吐出孔４１ａからインクの液滴を個別に吐出することが可能である。記録部４１の画像の記録領域の幅は、複数の吐出孔４１ａの幅に相当する。
インクジェットヘッド４０は、インクを吐出するための駆動源として、圧電アクチュエータ（積層型圧電素子又は薄膜型圧電素子）、発熱抵抗体などの電気熱変換素子を具備する、振動板と対向電極からなる静電アクチュエータなどを用いるものである。
【００４４】
記録部４１の吐出孔４１ａから吐出される「液体」は、吐出孔４１ａから吐出可能な粘度や表面張力を有するものであればよく、特に限定されないが、常温常圧下において、又は加熱、冷却により粘度が３０ｍＰａ・ｓ以下になるものであることが好ましい。具体的には、「液体」は、水や有機溶媒等の溶媒、染料や顔料等の着色剤、重合性化合物、樹脂、界面活性剤等の機能性付与材料、ＤＮＡ、アミノ酸やたんぱく質、カルシウム等の生体適合材料、天然色素等の可食材料、等を含む溶液、懸濁液、乳濁液等である。これらは例えばインクジェット用インク、表面処理液、電子素子や発光素子の構成要素や電子回路レジストパターンの形成用液、３次元造形用材料液等の用途で用いることができる。
【００４５】
記録面３０の外縁内には、記録材上におけるＨＭＰ１１の位置を検知する検知手段としての位置検知センサー１８、回転可能な左側第一ローラ部３７ａ、左側第二ローラ部３７ｂ、右側第一ローラ部３８ａ、右側第二ローラ部３８ｂなどが設けられている。
ユーザによってＨＭＰ１１が走査方向に移動操作されると、記録材の表面上に接触している四つのローラ部がタイヤのように回転する。ローラ部が設けられていることで、ユーザはインクジェットヘッド４０の記録部４１と記録材の表面との距離を一定に保ちながら、ＨＭＰ１１を走査方向に沿って直進させることができる。すなわち、四つのローラ部は、ＨＭＰ１のハウジング８０の走査方向への移動をガイドする。
【００４６】
位置検知センサー１８は、記録材の表面までの距離や表面状態（例えば凹凸）を検知したり、ＨＭＰ１１の移動距離を検知したりするセンサーであり、例えばパソコンの光学式マウス（ポインティングデバイス）などで使用されているのと同類のものである。位置検知センサー１８は、置かれている場所（記録材）に光を照射し、その部分の状態を「模様」として読み取る。そして、位置検知センサー１８の動きに対してその「模様」がどのように移動するのかを連続して捉えることで、移動量を算出する。
【００４７】
図１３は、ＨＭＰ１１の電気回路の一部を示すブロック図である。
制御基板５７は、各種の演算処理やプログラム実行を行うＣＰＵ５５、Ｂｔ（Ｂｌｕｅｔｏｏｔｈ）基板５２、データを一時記憶するＲＡＭ５３、ＲＯＭ５４、記録制御部５６などを有している。この制御基板５７は、上部ユニット１２（図９）の中空内において、ＵＳＢ接続口１９（図９）の裏側の位置に固定されている。
【００４８】
Ｂｔ基板５２は、スマートフォンやタブレット端末などの外部機器とのＢｌｕｅｔｏｏｔｈ通信によってデータ交信を行うものである。また、ＲＯＭ５４は、ＨＭＰ１１のハードウェア制御を行うファームウェアや、インクジェットヘッド４０の駆動波形データ等を格納するものである。また、記録制御部５６は、インクジェットヘッド４０を駆動させるためのデータ処理を実行したり、駆動波形を生成したりするものである。
【００４９】
制御基板５７には、ジャイロセンサー５８、位置検知センサー１８、ＬＥＤランプ５９、インクジェットヘッド４０、プリントボタン１４、電源ボタン１５、バッテリー５１などが電気接続されている。
【００５０】
ジャイロセンサー５８は、周知の技術により、ＨＭＰ１１の傾きや回転角度を検知して、その結果を制御基板５７に送信するものである。ＬＥＤランプ５９は、プリントボタン１４における光透過性の材料からなる外装カバーの内部に設けられ、プリントボタン１４を発光させるものである。
【００５１】
電源ボタン１５を押してＨＭＰ１１の電源を入れると、各モジュールに電力が供給され、ＣＰＵ５５はＲＯＭ５４に格納されているプログラムに基づいて起動動作を開始し、プログラムや各データをＲＡＭ５３に展開する。形成対象の画像データを外部機器からＢｌｕｅｔｏｏｔｈ通信によって受信すると。記録制御部５６は、画像データに応じた駆動波形を生成する。そして、位置検知センサー１８によって検知された記録材の表面上の位置に応じた画像を形成するようにインクジェットヘッド４０のからのインクの吐出を制御する。
【００５２】
図１４はＨＭＰ１１のガイド部材１７の拡大斜視図である。ガイド部材１７は、一対のアーム１７ｆと、一対のアーム１７ｆに支持されたベース部１７ｃと、ベース部１７ｃから走査方向へと延びる先端部１７ａとを有する。先端部１７ａは、走査直交方向における記録部の中心位置と対応する位置に中心位置標示部としての切欠き１７ｂが形成されている。この切欠き１７ｂが形成されていることにより、ユーザは走査直交方向における記録領域幅の中心位置を容易に把握することができ、所望の位置に正確に印字をおこなうことができる。ハウジング８０の左側面には一対の爪８０ｂが設けられている。一対の爪８０ｂは、ガイド部材１７の両端と係合することにより、ガイド部材１７を左側面３２内の収納位置で保持する（図９参照）。
【００５３】
図１５は、ＨＭＰ１１のガイド部材１７付近の拡大断面図である。ガイド部材１７は、そのアーム１７ｆ上に設けられた支点１７ｅの位置でハウジング８０に支持される。ガイド部材１７のアーム部１７ｆとベース部１７ｃと先端部１７ａとは、支点１７ｅを中心としてハウジング８０に対して回動可能である。ベース部１７ｃの表面には、ハウジング８０表面の被当接部８０ａと当接可能な当接部１７ｄを有する。ユーザは、一対の爪８０ｂとガイド部材１７との係合を解除することにより、ガイド部材１７を矢印Ｒで示す方向へ回動させることができる。ガイド部材１７を図１５に示す位置まで回動すると、当接部１７ｃと被当接部８０ａとが当接することにより、ガイド部材１７の回動が規制される。規制部としての当接部１７ｃと被当接部８０ａとは、ガイド部材１７の下面と記録材（用紙Ｐ）との間に所定の隙間Ｄを有するように、ガイド部材１７の位置を規制する。この状態では、ＨＭＰ１１のうちの左側第二ローラ部３７ｂを含む４つのローラ部のみが記録材の表面と当接しており、ガイド部材１７は記録材から離間したままである。当接部１７ｃと被当接部８０ａとによりガイド部材を記録材から離間した状態に保つことにより、ユーザがＨＭＰ１１を移動操作して記録材に画像を記録する際にガイド部材１７が記録材上の画像と接触することを防止できる。これにより記録された画像を乱すことを防止できる。
【００５４】
なお、本実施形態では、ＨＭＰ１１の走査方向Ｘの下流側（左側面３２の側）に設けられたガイド部材１７について説明したが、これに替えて、または加えて、ＨＭＰ１１の走査方向Ｘの上流側（右側面３３の側）に、同一の構成を有するガイド部材１７が設けられていてもよい。
【００５５】
ハウジング８０の左右両側にガイド部材１７を有する場合、ユーザは、左右一対のガイド部材１７と記録材の表面との位置を見比べながらＨＭＰ１１を操作することで、ＨＭＰ１１をより容易に直進させることができる。また、左右一対のガイド部材１７を記録材から離間した状態に保つことにより、ガイド部材１７が記録材に接触してその表面を傷つけることを防止できる。
【００５６】
なお、記録材に画像を記録する記録部を含むインクジェットヘッド４０（インクカートリッジ）を装着可能なＨＭＰ１１において、インクジェットヘッド４０（インクカートリッジ）と記録部とを収容可能なハウジング８０と、ハウジング８０の走査方向への移動をガイドするローラ部３７ａ、３７ｂ、３８ａ、３８ｂと、ハウジング８０に格納された格納位置と記録部による画像の記録領域を示す標示位置との間で移動可能なガイド部材１７と、を備えるようにＨＭＰ１１を構成してもよい。この場合も、記録部を装着した状態のＨＭＰ１１によれば、印字範囲・記録範囲を明確にし、記録材上の所望の位置に容易に印字をおこなうことを可能にするとともに、大きなスペースを取らずに装置を保管可能とすることができる。
【００５７】
ここまで説明したように、本発明の記録装置においては、ハウジングに格納された格納位置と記録部による画像の記録領域を示す標示位置との間で移動可能な標示部材を備えることにより、印字範囲・記録範囲を明確にし、記録材上の所望の位置に容易に印字をおこなえるとともに、大きなスペースを取らずに装置を保管することができる。
【００５８】
また、標示部材が記録部よりも走査方向上流側または下流側に設けられていることで、記録領域・記録範囲を容易に把握することができる。
また、走査方向と直交する方向における標示部材の大きさが、走査方向と直交する方向における記録部の大きさと略同一であることで、簡単な構成で次の印字範囲・記録範囲を示すことが可能となる。
【００５９】
また、標示部材の少なくとも一部の走査方向と直交する方向の大きさが、走査方向と直交する方向における記録手段の画像記録部の大きさと略同一であることで、簡単な構成で次の印字範囲・記録範囲を示すことが可能となる。
【００６０】
また、標示部材の一部に、走査方向と直交する方向における記録部の両端部と同列に位置する目印形状が設けられていることで、簡単な構成で次の印字範囲・記録範囲を示すことが可能となる。
【００６１】
また、標示部材が透明部材で設けられていることで、標示部材の奥にあるものや、標示部材の下にある用紙等を見ることができる。
【００６２】
また、標示部材が走査方向におけるハウジングの両側に設けられていることで、改行時の移動量を最小限にすることが可能となる。
また、装置本体の走査方向への移動を補助する移動補助手段を備えることで、改行前の記録と改行後の記録の整合性を高めることができ、画像品質を向上させることができる。
【００６３】
また、標示部材は、走査方向と直交する方向における記録部の中心位置と対応する位置に、記録部の前記中心位置を示す中心位置標示部を有することで、走査直交方向における記録領域幅の中心位置を容易に把握することができ、所望の位置に正確に印字をおこなうことができる。
【００６４】
また、標示部材が標示位置にあるときに、標示部材と記録材との間に所定の隙間を有するように、標示部材の位置を規制する規制部を備えることで、ＨＭＰを移動操作して記録材に画像を記録する際に標示部材が記録材上の画像と接触することを防止でき、これにより記録された画像を乱すことを防止できる。
【００６５】
また、ハウジングと格納位置にある標示部材との間に隙間を有することで、ハウジングに収容された標示部材を容易に回動させることができる。
【００６６】
以上、本発明を図示例に基づき説明したが、本発明はこれに限定されるものではない。例えば、記録方式は本発明を適用可能なものであれば任意な方式を採用可能である。また、標示部材の形状や大きさなども適宜変更可能である。
【００６７】
記録部の位置や大きさなども一例であって、適宜な構成を採用可能である。走査方向も任意に設定可能である。
また、本発明の記録装置はプリンタとしてだけではなく、スマートフォンやタブレット端末等からデータを受け取って出力する装置としても使用可能である。データの受信方法は、Ｂｌｕｅｔｏｏｔｈ接続（無線接続）に限らず、ＵＳＢ接続を含む有線・無線の任意な通信方式を採用可能である。
【符号の説明】
【００６８】
１、１１    ハンディモバイル型プリンタ：ＨＭＰ（記録装置）
２、１２    上部ユニット
３、１３    下部ユニット
４          ガイドコロ（移動補助手段）
５          操作部ボタン
６          インク吐出部（画像記録部）
７、１７    ガイド部材（表示部材）
８          目印形状
９、１９    ＵＳＢ接続口
１８        位置検知センサー
３７，３８  ローラ部（移動補助手段）
４０        インクジェットヘッド
４１        記録部
５７        制御基板
８０        ハウジング
Ｐ          用紙（記録材）
Ｘ          走査方向
【先行技術文献】
【特許文献】
【００６９】
【特許文献１】特開２０１６−１１２７００号公報
【特許文献２】特開平５−１１６３８０号公報
【図１】
2019001155.tif 000003
【図２】
2019001155.tif 000004
【図３】
2019001155.tif 000005
【図４】
2019001155.tif 000006
【図５】
2019001155.tif 000007
【図６】
2019001155.tif 000008
【図７】
2019001155.tif 000009
【図８】
2019001155.tif 000010
【図９】
2019001155.tif 000011
【図１０】
2019001155.tif 000012
【図１１】
2019001155.tif 000013
【図１２】
2019001155.tif 000014
【図１３】
2019001155.tif 000015
【図１４】
2019001155.tif 000016
【図１５】
2019001155.tif 000017